(57)【要約】【課題】車室内を清潔に保ちつつマイナスイオンを発生させる車両用マイナスイオン発生器を提供する。【解決手段】車室内に設けた車両用マイナスイオン発生器において、車室内に設けた空気汚れセンサで検出した空気汚れ値が予め定めた閾値以上の場合においてマイナスイオン発生器を作動停止するように制御している。【選択図】　　　図２
2004090809.tif 000002
【特許請求の範囲】
【請求項１】
車室内に設けた車両用マイナスイオン発生器において、
車室内に設けた空気汚れセンサで検出した空気汚れ値が予め定めた閾値以上の場合において前記マイナスイオン発生器を作動停止するように制御していることを特徴とする車両用マイナスイオン発生器。
【請求項２】
車室内に設けた空気清浄化手段と連結されており、前記空気汚れセンサで検出した空気汚れ値が予め定めた閾値以上の場合において前記空気清浄化手段を作動するように制御していることを特徴とする請求項１に記載の車両用マイナスイオン発生器。
【請求項３】
車室内に設けた空気清浄器と連結されており、前記空気汚れセンサで検出した空気汚れ値が予め定めた閾値以上の場合において前記空気清浄器を作動するように制御していることを特徴とする請求項１に記載の車両用マイナスイオン発生器。
【請求項４】
車室内に設けた空調装置と連結されており、前記空気汚れセンサで検出した空気汚れ値が予め定めた閾値以上の場合において、前記空調装置のモードを車両外部の空気を前記車室内に導入する外気導入モードにするように制御していることを特徴とする請求項１に記載の車両用マイナスイオン発生器。
【発明の詳細な説明】
【０００１】
【発明の属する技術分野】
本発明は車両用マイナスイオン発生器に関する。
【０００２】
【従来の技術】
従来、車両乗員の疲労を回復させるために、車両運転中、連続的に又は断続的にマイナスイオンを車室内に放出するマイナスイオン発生器を車室内に搭載することが公知である。
【０００３】
ところが、従来のマイナスイオン発生器は、車室内の空気が汚れている時、すなわち、粉塵が多くある時にも、マイナスイオンを発生させており、マイナスイオンと付着して負に帯電した粉塵が、正に帯電している窓ガラスや座席に付着し易くなり、車室内の汚れを助長してしまうという問題があった。
【０００４】
【発明が解決しようとする課題】
上記問題点に鑑み、本発明の目的は、車室内を清潔に保ちつつマイナスイオンを発生させる車両用マイナスイオン発生器を提供することである。
【０００５】
【課題を解決するための手段】
本発明の請求項１に係る車両用マイナスイオン発生器によれば、車室内に設けた車両用マイナスイオン発生器において、車室内に設けた空気汚れセンサで検出した空気汚れ値が予め定めた閾値以上の場合においてマイナスイオン発生器を作動停止するように制御している。これにより、車室内の空気がきれいな場合のみ、マイナスイオン発生器が作動可能であるので、粉塵を車室内に付着させず、車室内を清潔に保ちつつマイナスイオンを発生させることができる。
【０００６】
また、本発明の請求項２に係る車両用マイナスイオン発生器によれば、車室内に設けた空気清浄化手段と連結されており、空気汚れセンサで検出した空気汚れ値が予め定めた閾値以上の場合において空気清浄化手段を作動するように制御している。これにより、車室内の空気が汚れている場合に、空気清浄器や空調装置に内蔵された空気清浄器などの空気清浄手段を作動させることにより、迅速に空気汚れ値を閾値未満に低減し、すなわち、車室内を清潔にし、マイナスイオン発生器を作動可能な状態にすることができる。
【０００７】
また、本発明の請求項３に係る車両用マイナスイオン発生器によれば、車室内に設けた空気清浄器と連結されており、空気汚れセンサで検出した空気汚れ値が予め定めた閾値以上の場合において空気清浄器を作動するように制御している。これにより、請求項２と同様に、車室内の空気が汚れている場合に空気清浄器を作動させることにより、迅速に空気汚れ値を閾値未満に低減し、すなわち、車室内を清潔にし、マイナスイオン発生器を作動可能な状態にすることができる。
【０００８】
また、本発明の請求項４に係る車両用マイナスイオン発生器によれば、車室内に設けた空調装置と連結されており、空気汚れセンサで検出した空気汚れ値が予め定めた閾値以上の場合において、空調装置のモードを車両外部の空気を車室内に導入する外気導入モードにするように制御している。これにより、車室内の空気が汚れている場合によりきれいな車両外部の空気を車室内に導入することにより、迅速に空気汚れ値を閾値未満に低減し、すなわち、車室内を清潔にし、マイナスイオン発生器を作動可能な状態にすることができる。
【０００９】
【発明の実施の形態】
以下、本発明の実施例について添付図面を参照しつつ詳細に説明する。最初に本発明の第一実施例の車両用マイナスイオン発生器について述べる。図１はマイナスイオン発生器を配置した車両の概略図である。マイナスイオン発生器１０は、車両１００の天井前部に設けられており、空気清浄器２０がパッケージトレーとアッパーバッグの間に設けられている。また、本実施例では、車室内の空気の汚れを検出する空気汚れセンサ６０が空気清浄器２０に内蔵されている。
【００１０】
次に本発明の車両用マイナスイオン発生器及びそれに付随した構成要素について説明する。図２は本発明の車両用マイナスイオン発生器及びそれに付随した構成要素のブロック図である。図２に示すように、電子制御装置（ＥＣＵ）３０は、空気清浄器アンプ５０を介して空気汚れセンサ６０に連結されている。空気汚れセンサ６０は、本実施例では、例えば粉塵センサや臭いセンサである。これにより、空気汚れセンサ６０で検出した空気汚れの値に関する信号をＥＣＵ３０に伝達することができると共に、ＥＣＵ３０から空気清浄器アンプ５０へ作動又は作動停止や風量の増減に関する信号を伝達する。また、ＥＣＵ３０は、マイナスイオン発生器スイッチ４０を介してマイナスイオン発生器１０に連結されている。これにより、ＥＣＵ３０からマイナスイオン発生器１０へマイナスイオン発生器１０の作動又は作動停止に関する信号を伝達する。
【００１１】
次に本発明の車両用マイナスイオン発生器の作用について説明する。図３は本発明の車両用マイナスイオン発生器の制御を示すフローチャートである。図３において、最初に、空気汚れセンサ６０で車室内の空気汚れを検出する（ステップ４）。次に、ステップ５では、この空気汚れセンサ６０で検出した値が予め定めた閾値以上の場合には、車室内の空気が汚れていると判定し、マイナスイオン発生器１０を作動停止し（ステップ１０）、迅速に車室内を清潔にしてマイナスイオン発生器１０を作動可能な状態にするために、空気清浄器２０を作動し（ステップ１１）、ステップ４に戻る。一方、ステップ５において、空気汚れセンサ６０で検出した値が予め定めた閾値未満の場合には、車室内の空気がきれいであると判定し、ステップ６において、マイナスイオン発生器１０を作動する。ステップ９では、車両電源ＯＮであるかを判定し、車両電源ＯＮであれば、ステップ３に戻って空気清浄器は作動状態となる。再度空気汚れを判定し、車両運転が停止あるいは、マイナスイオン作動電源がＯＦＦされれば、マイナスイオン発生器１０を作動停止する（ステップ６）。
【００１２】
このように、車室内の空気がきれいな時に限定してマイナスイオン発生器１０を作動させることにより、マイナスイオンで負に帯電させた粉塵を正に帯電した車室内に付着しやすくなるのを防ぎ、すなわち、車室内を清潔に保ちつつマイナスイオンを発生させることができる。
【００１３】
次に第二の実施例について説明する。第一の実施例では、空気が汚れていると判定した場合に空気清浄器を作動し、空気がきれいであると判定した場合に空気清浄器を作動停止していたが、本実施例では、空気が汚れていると判定した場合に空気清浄器で清浄する空気の量を相対的に増やし、空気がきれいであると判定した場合に空気清浄器で清浄する空気の量を相対的に減らしてもよい。
【００１４】
次に第三の実施例について説明する。上記実施例では、空気清浄手段として、独立した空気清浄器を採用していたが、リヤクーラなどの空調装置に内蔵した空気清浄部を採用してもよい。この場合、空気汚れセンサは、車室内に配置されている。
【００１５】
次に第四の実施例について説明する。上記実施例では、空気清浄手段として、空気清浄器や空調装置の空気清浄部を採用していたが、本実施例では、空調装置の外気導入部を採用している。この場合、空調装置は、ＥＣＵ３０と連結されており、空気汚れセンサ６０で検出した空気汚れ値が予め定めた閾値以上の場合において、空調装置のモードをきれいな車両外部の空気を車室内に導入する外気導入モードにする。これにより、迅速に車室内を清潔にし、マイナスイオン発生器を作動可能な状態にすることができる。
【図面の簡単な説明】
【図１】マイナスイオン発生器を配置した車両の概略図である。
【図２】本発明の車両用マイナスイオン発生器及びそれに付随した構成要素のブロック図である。
【図３】本発明の車両用マイナスイオン発生器の制御を示すフローチャートである。
【符号の説明】
１０…マイナスイオン発生器
６０…空気汚れセンサ
１００…車両
【図１】
2004090809.tif 000003
【図２】
2004090809.tif 000004
【図３】
2004090809.tif 000005